(57)【特許請求の範囲】
【請求項１】
シリンダ側鏡板部（31a,41a）と、該シリンダ側鏡板部（31a,41a）の前面に突設される内側壁部（31c,41c）及び外側壁部（31b,41b）とを有し、該内側壁部（31c,41c）と該外側壁部（31b,41b）の間に環状のシリンダ室が形成されるシリンダ（31,41）と、
ピストン側鏡板部（32a,42a）と、円環の一部分を分断したＣ字状に形成されて該ピストン側鏡板部（32a,42a）の前面に突設される環状部（32b,42b）とを有し、該環状部（32b,42b）が上記シリンダ室を外側の流体室（S11,S21）と内側の流体室（S12,S22）とに区画するピストン（32,42）と、
上記シリンダ（31,41）に設けられ、上記環状部（32b,42b）の分断部分に挿通されて上記各流体室（S11,S12,S21,S22）を高圧側と低圧側に区画するブレード（33,43）と、
上記ブレード（33,43）と上記環状部（32b,42b）の間に設けられて該ブレード（33,43）と該環状部（32b,42b）の両方と摺接する揺動ブッシュ（34,44）とを備え、
上記シリンダ（31,41）と上記ピストン（32,42）とが相対的に偏心回転する回転式流体機械であって、
上記ピストン側鏡板部（32a,42a）は、上記環状部（32b,42b）よりも外側の部分の前面が上記シリンダ（31,41）の外側壁部（31b,41b）の突端面と摺接する一方、
上記ピストン（32,42）では、上記環状部（32b,42b）のうち上記揺動ブッシュ（34,44）と摺接する部分（62,72）の硬度が、上記ピストン側鏡板部（32a,42a）のうち上記外側壁部（31b,41b）と摺接する部分（61,71）の硬度よりも高くなっており、
上記シリンダ（31,41）の外側壁部（31b,41b）の硬度が、上記ピストン側鏡板部（32a,42a）のうち上記外側壁部（31b,41b）と摺接する部分（61,71）の硬度よりも低くなっている
ことを特徴とする回転式流体機械。
【請求項２】
シリンダ側鏡板部（31a,41a）と、該シリンダ側鏡板部（31a,41a）の前面に突設される内側壁部（31c,41c）及び外側壁部（31b,41b）とを有し、該内側壁部（31c,41c）と該外側壁部（31b,41b）の間に環状のシリンダ室が形成されるシリンダ（31,41）と、
ピストン側鏡板部（32a,42a）と、円環の一部分を分断したＣ字状に形成されて該ピストン側鏡板部（32a,42a）の前面に突設される環状部（32b,42b）とを有し、該環状部（32b,42b）が上記シリンダ室を外側の流体室（S11,S21）と内側の流体室（S12,S22）とに区画するピストン（32,42）と、
上記シリンダ（31,41）に設けられ、上記環状部（32b,42b）の分断部分に挿通されて上記各流体室（S11,S12,S21,S22）を高圧側と低圧側に区画するブレード（33,43）と、
上記ブレード（33,43）と上記環状部（32b,42b）の間に設けられて該ブレード（33,43）と該環状部（32b,42b）の両方と摺接する揺動ブッシュ（34,44）とを備え、
上記シリンダ（31,41）と上記ピストン（32,42）とが相対的に偏心回転する回転式流体機械であって、
上記ピストン側鏡板部（32a,42a）は、上記環状部（32b,42b）よりも外側の部分の前面が上記シリンダ（31,41）の外側壁部（31b,41b）の突端面と摺接する一方、
それぞれが上記シリンダ（31,41）と上記ピストン（32,42）と上記ブレード（33,43）と上記揺動ブッシュ（34,44）とを備える二つの圧縮機構（30,40）が設けられ、
第１の圧縮機構（30）が吸入した流体を圧縮し、第２の圧縮機構（40）が第１の圧縮機構（30）において圧縮された流体を吸入して更に圧縮し、
上記二つの圧縮機構（30,40）のうち第２の圧縮機構（40）においてだけ、上記環状部（42b）のうち上記揺動ブッシュ（44）と摺接する部分（72）の硬度が、上記ピストン側鏡板部（42a）のうち上記外側壁部（41b）と摺接する部分（71）の硬度よりも高くなっている
ことを特徴とする回転式流体機械。
【請求項３】
請求項１又は２において、
上記揺動ブッシュ（34,44）の硬度が、上記環状部（32b,42b）のうち上記揺動ブッシュ（34,44）と摺接する部分（62,72）の硬度よりも高くなっている
ことを特徴とする回転式流体機械。
【請求項４】
請求項２において、
上記シリンダ（31,41）の外側壁部（31b,41b）の硬度が、上記ピストン側鏡板部（32a,42a）のうち上記外側壁部（31b,41b）と摺接する部分（61,71）の硬度よりも低くなっている
ことを特徴とする回転式流体機械。
【請求項５】
請求項１又は２において、
上記環状部（32b,42b）と上記ピストン側鏡板部（32a,42a）は、同じ材質からなる一つの部材を構成しており、
上記環状部（32b,42b）では、上記揺動ブッシュ（34,44）と摺接する部分（62,72）に硬化処理が施されている
ことを特徴とする回転式流体機械。
【請求項６】
請求項１又は２において、
上記ピストン（32,42）の環状部（32b,42b）は、
上記ピストン側鏡板部（32a,42a）と材質が等しくて該ピストン側鏡板部（32a,42a）と共に一つの部材を構成する環状部本体（63,73）と、
上記環状部本体（63,73）よりも硬度の高い材質からなり、上記揺動ブッシュ（34,44）と摺接するように該環状部本体（63,73）に接合される摺動用部材（64,74）とを備えている
ことを特徴とする回転式流体機械。
【発明の詳細な説明】
【技術分野】
【０００１】
本発明は、シリンダとピストンとが相対的に偏心回転することによって流体室の容積が変化する回転式流体機械に関するものである。
【背景技術】
【０００２】
特許文献１には、環状のシリンダ室を形成するシリンダと、そのシリンダ室へ挿入される環状部を有するピストンとを備えた回転式流体機械が開示されている。環状のシリンダ室は、ピストンの環状部の内側と外側に区画されている。また、この回転式流体機械は、シリンダに設けられてシリンダ室を高圧側と低圧側に仕切るブレードと、ピストンの環状部とブレードの両方と摺接する揺動ブッシュとを備えている。
【０００３】
この特許文献１に開示された回転式流体機械では、シリンダが固定され、ピストンが偏心回転することによって、シリンダ室の高圧側と低圧側の容積が変化する。また、その図１０に記載された回転式流体機械では、ピストンの鏡板部の外周部分がシリンダと摺接する。
【０００４】
なお、特許文献２には、揺動ピストン型ロータリ圧縮機において、シリンダのうち揺動ブッシュと摺接する部分に焼き入れを施し、当該部分の硬度を高めることが記載されている（段落〔００３８〕〔００３９〕を参照）。また、特許文献３には、スクロール圧縮機において、アルミニウム製の可動スクロールに鉄製の部材を鋳込み溶接によって接合し、この鉄製の部材をオルダムリングと摺接させることが記載されている。
【先行技術文献】
【特許文献】
【０００５】
【特許文献１】特開２００５−３３０９６２号公報
【特許文献２】特開２００７−３０９１４６号公報
【特許文献３】特開平０３−２６７５０１号公報
【発明の概要】
【発明が解決しようとする課題】
【０００６】
上述したように、特許文献１に開示された回転式流体機械において、シリンダ室を内外に仕切るピストンの環状部や、シリンダ室を高圧側と低圧側に仕切るブレードには、シリンダ室内の流体圧が作用するため、比較的大きな荷重が作用する。このため、ピストンの環状部とブレードは、その一方が他方に対して比較的大きな力で押し付けられた状態で互いに摺動することとなり、ピストンの環状部の摩耗が進行しやすくなるおそれがある。
【０００７】
このピストンの摩耗を抑える方策としては、ピストン全体を硬度の高い材料で構成することが考えられる。ところが、ピストンは、揺動ブッシュだけと摺接するとは限らず、特許文献１の図１０に開示されているように、ピストンが揺動ブッシュとシリンダの両方と摺接する場合もある。この場合にピストン全体の硬度を高くすると、ピストンのうち揺動ブッシュと摺接する部分の摩耗は抑えられるが、ピストンと摺接するシリンダの摩耗量が増えるおそれがある。
【０００８】
本発明は、かかる点に鑑みてなされたものであり、その目的は、ピストンが揺動ブッシュとシリンダの両方と摺接する回転式流体機械において、シリンダの摩耗量の増加を回避しつつ、ピストンのうち揺動ブッシュと摺接する部分の摩耗を抑えることにある。
【課題を解決するための手段】
【０００９】
第１及び第２の各発明は、シリンダ側鏡板部（31a,41a）と、該シリンダ側鏡板部（31a,41a）の前面に突設される内側壁部（31c,41c）及び外側壁部（31b,41b）とを有し、該内側壁部（31c,41c）と該外側壁部（31b,41b）の間に環状のシリンダ室が形成されるシリンダ（31,41）と、ピストン側鏡板部（32a,42a）と、円環の一部分を分断したＣ字状に形成されて該ピストン側鏡板部（32a,42a）の前面に突設される環状部（32b,42b）とを有し、該環状部（32b,42b）が上記シリンダ室を外側の流体室（S11,S21）と内側の流体室（S12,S22）とに区画するピストン（32,42）と、上記シリンダ（31,41）に設けられ、上記環状部（32b,42b）の分断部分に挿通されて上記各流体室（S11,S12,S21,S22）を高圧側と低圧側に区画するブレード（33,43）と、上記ブレード（33,43）と上記環状部（32b,42b）の間に設けられて該ブレード（33,43）と該環状部（32b,42b）の両方と摺接する揺動ブッシュ（34,44）とを備え、上記シリンダ（31,41）と上記ピストン（32,42）とが相対的に偏心回転する回転式流体機械を対象とする。そして、上記ピストン側鏡板部（32a,42a）は、上記環状部（32b,42b）よりも外側の部分の前面が上記シリンダ（31,41）の外側壁部（31b,41b）の突端面と摺接する一方、上記ピストン（32,42）では、上記環状部（32b,42b）のうち上記揺動ブッシュ（34,44）と摺接する部分（62,72）の硬度が、上記ピストン側鏡板部（32a,42a）のうち上記外側壁部（31b,41b）と摺接する部分（61,71）の硬度よりも高くなっているものである。
【００１０】
第１及び第２の各発明では、シリンダ（31,41）の内側壁部（31c,41c）と外側壁部（31b,41b）の間に形成された環状のシリンダ室に、ピストン（32,42）の環状部（32b,42b）が挿入される。このシリンダ室は、環状部（32b,42b）の外側の流体室（S11,S21）と、環状部（32b,42b）の内側の流体室（S12,S22）とに仕切られる。また、外側と内側の各流体室（S11,S12,S21,S22）は、ブレード（33,43）によって高圧側と低圧側に仕切られる。シリンダ（31,41）とピストン（32,42）とが相対的に偏心回転すると、外側と内側の各流体室（S11,S12,S21,S22）では、それぞれの高圧側と低圧側の容積が変化する。その際、揺動ブッシュ（34,44）は、ブレード（33,43）と環状部（32b,42b）の両方と摺接する。また、ピストン側鏡板部（32a,42a）がシリンダ（31,41）の外側壁部（31b,41b）と摺接することによって、外側の流体室（S11,S21）の気密が保たれる。そして、このピストン（32,42）では、環状部（32b,42b）のうち揺動ブッシュ（34,44）と摺接する部分（62,72）の硬度が、ピストン側鏡板部（32a,42a）のうち外側壁部（31b,41b）と摺接する部分（61,71）の硬度よりも高くなっている。
【００１１】
第３の発明は、上記第１又は第２の発明において、上記揺動ブッシュ（34,44）の硬度が、上記環状部（32b,42b）のうち上記揺動ブッシュ（34,44）と摺接する部分（62,72）の硬度よりも高くなっているものである。
【００１２】
第３の発明のピストン（32,42）において、環状部（32b,42b）のうち揺動ブッシュ（34,44）と摺接する部分（62,72）の硬度は、ピストン側鏡板部（32a,42a）のうち外側壁部（31b,41b）と摺接する部分（61,71）の硬度よりも高いが、揺動ブッシュ（34,44）の硬度よりも低くなっている。
【００１３】
第１の発明は、上記の構成に加えて、上記シリンダ（31,41）の外側壁部（31b,41b）の硬度が、上記ピストン側鏡板部（32a,42a）のうち上記外側壁部（31b,41b）と摺接する部分（61,71）の硬度よりも低くなっているものである。
【００１４】
また、第４の発明は、上記第２の発明において、上記シリンダ（31,41）の外側壁部（31b,41b）の硬度が、上記ピストン側鏡板部（32a,42a）のうち上記外側壁部（31b,41b）と摺接する部分（61,71）の硬度よりも低くなっているものである。
【００１５】
第１及び第４の各発明のピストン（32,42）において、ピストン側鏡板部（32a,42a）のうち外側壁部（31b,41b）と摺接する部分（61,71）の硬度は、環状部（32b,42b）のうち揺動ブッシュ（34,44）と摺接する部分（62,72）の硬度よりも低いが、シリンダ（31,41）の外側壁部（31b,41b）の硬度よりも高くなっている。
【００１６】
第５の発明は、上記第１又は第２の発明において、上記環状部（32b,42b）と上記ピストン側鏡板部（32a,42a）は、同じ材質からなる一つの部材を構成しており、上記環状部（32b,42b）では、上記揺動ブッシュ（34,44）と摺接する部分（62,72）に硬化処理が施されるものである。
【００１７】
第５の発明では、環状部（32b,42b）のうち揺動ブッシュ（34,44）と摺接する部分（62,72）に硬化処理が施される。このため、環状部（32b,42b）とピストン側鏡板部（32a,42a）が同じ材質からなる一つの部材を構成していても、環状部（32b,42b）のうち揺動ブッシュ（34,44）と摺接する部分（62,72）の硬度が、ピストン側鏡板部（32a,42a）のうち外側壁部（31b,41b）と摺接する部分（61,71）の硬度よりも高くなる。なお、硬化処理の例としては、焼き入れ、浸炭、窒化などが挙げられる。
【００１８】
第６の発明は、上記第１又は第２の発明において、上記ピストン（32,42）の環状部（32b,42b）は、上記ピストン側鏡板部（32a,42a）と材質が等しくて該ピストン側鏡板部（32a,42a）と共に一つの部材を構成する環状部本体（63,73）と、上記環状部本体（63,73）よりも硬度の高い材質からなり、上記揺動ブッシュ（34,44）と摺接するように該環状部本体（63,73）に接合される摺動用部材（64,74）とを備えるものである。
【００１９】
第６の発明では、ピストン（32,42）の環状部（32b,42b）に環状部本体（63,73）と摺動用部材（64,74）とが設けられる。環状部本体（63,73）の材質は、ピストン側鏡板部（32a,42a）の材質と同じである。一方、摺動用部材（64,74）の材質は、環状部本体（63,73）よりも硬度の高い材質となっている。この摺動用部材（64,74）は、環状部本体（63,73）に接合されて揺動ブッシュ（34,44）と摺接する。つまり、この発明の環状部（32b,42b）では、摺動用部材（64,74）が揺動ブッシュ（34,44）と摺接する部分（62,72）を構成する。
【００２０】
第２の発明は、上記の構成に加えて、それぞれが上記シリンダ（31,41）と上記ピストン（32,42）と上記ブレード（33,43）と上記揺動ブッシュ（34,44）とを備える二つの圧縮機構（30,40）が設けられ、第１の圧縮機構（30）が吸入した流体を圧縮し、第２の圧縮機構（40）が第１の圧縮機構（30）において圧縮された流体を吸入して更に圧縮する一方、上記二つの圧縮機構（30,40）のうち第２の圧縮機構（40）においてだけ、上記環状部（42b）のうち上記揺動ブッシュ（44）と摺接する部分（72）の硬度が、上記ピストン側鏡板部（42a）のうち上記外側壁部（41b）と摺接する部分（71）の硬度よりも高くなっているものである。
【００２１】
第２の発明では、回転式流体機械（10）によって二段圧縮機が構成される。この発明の回転式流体機械（10）では、第１の圧縮機構（30）が、回転式流体機械（10）へ流入した低圧流体を吸入して圧縮し、第２の圧縮機構（40）が、第１の圧縮機構（30）から吐出された中間圧流体を吸入して圧縮する。そして、回転式流体機械（10）からは、第２の圧縮機構（40）から吐出された高圧流体が流出してゆく。二段圧縮機を構成する回転式流体機械（10）において、流体室内の流体からブレード（33,43）が受ける荷重は、第１の圧縮機構（30）における値よりも第２の圧縮機構（40）における値の方が大きくなる場合が多い。そこで、この発明では、第２の圧縮機構（40）においてだけ、環状部（42b）のうち揺動ブッシュ（44）と摺接する部分（72）の硬度を、ピストン側鏡板部（42a）のうち外側壁部（41b）と摺接する部分（71）の硬度よりも高くしている。
【発明の効果】
【００２２】
本発明では、ピストン（32,42）の環状部（32b,42b）が揺動ブッシュ（34,44）と摺接し、ピストン（32,42）のピストン側鏡板部（32a,42a）がシリンダ（31,41）の外側壁部（31b,41b）と摺接する。また、本発明のピストン（32,42）では、環状部（32b,42b）のうち揺動ブッシュ（34,44）と摺接する部分（62,72）の硬度が、ピストン側鏡板部（32a,42a）のうち外側壁部（31b,41b）と摺接する部分（61,71）の硬度よりも高くなっている。このため、環状部（32b,42b）のうち揺動ブッシュ（34,44）と摺接する部分（62,72）の硬度を高めることで当該部分の摩耗量を削減できると共に、ピストン側鏡板部（32a,42a）のうち外側壁部（31b,41b）と摺接する部分（61,71）の硬度が不必要に高くなるのを回避することで外側壁部（31b,41b）の摩耗量の増加を抑制できる。
【００２３】
上記第５の発明では、環状部（32b,42b）のうち揺動ブッシュ（34,44）と摺接する部分（62,72）に硬化処理が施される。また、上記第６の発明では、ピストン側鏡板部（32a,42a）よりも硬度の高い材質からなる摺動用部材（64,74）が、環状部本体（63,73）に取り付けられて揺動ブッシュ（34,44）と摺接する。従って、これらの発明によれば、環状部（32b,42b）のうち揺動ブッシュ（34,44）と摺接する部分（62,72）の硬度を局所的に高めることができる。
【００２４】
上記第２の発明では、流体室内の流体からブレード（33,43）が受ける荷重が比較的大きい第２の圧縮機構（40）においてだけ、環状部（42b）のうち揺動ブッシュ（44）と摺接する部分（72）の硬度を、ピストン側鏡板部（42a）のうち外側壁部（41b）と摺接する部分（71）の硬度よりも高くしている。従って、この発明によれば、二段圧縮機を構成する回転式流体機械の製造工程の複雑化を最小限に抑えることができる。
【図面の簡単な説明】
【００２５】
【図１】実施形態１の圧縮機の縦断面図である。
【図２】実施形態１の圧縮機部を拡大して示す縦断面図である。
【図３】実施形態１の圧縮機構の要部を示す横断面図である。
【図４】実施形態１の圧縮機構の要部を示す横断面図であって、駆動軸の回転角度が４５°変化する毎の状態を示すものである。
【図５】実施形態２の圧縮機構の要部を示す横断面図である。
【図６】実施形態３の圧縮機部を拡大して示す縦断面図である。
【図７】実施形態４の圧縮機部を拡大して示す縦断面図である。
【図８】その他の実施形態の第２変形例の圧縮機構の要部を示す横断面図である。
【発明を実施するための形態】
【００２６】
以下、本発明の実施形態を図面に基づいて詳細に説明する。
【００２７】
《発明の実施形態１》
本発明の実施形態１について説明する。本実施形態の圧縮機（10）は、本発明に係る回転式流体機械である。この圧縮機（10）は、冷凍サイクルを行う冷媒回路に設けられ、冷媒回路内を循環する冷媒を吸入して圧縮する。
【００２８】
〈圧縮機の全体構成〉
図１に示すように、圧縮機（10）は、密閉容器状のケーシング（11）を備えている。ケーシング（11）は、縦長の円筒状に形成された胴部（12）と、椀状に形成された一対の端板部（13）とを備えている。ケーシング（11）では、端板部（13）が胴部（12）の各端部に一つずつ配置され、胴部（12）の端部が端板部（13）によって閉塞される。ケーシング（11）の内部には、電動機（20）と、圧縮機部（50）とが収納されている。圧縮機部（50）は、電動機（20）の下方に配置されている。圧縮機部（50）は、低段側の第１圧縮機構（30）と、高段側の第２圧縮機構（40）とを備えている。
【００２９】
ケーシング（11）の胴部（12）には、第１圧縮機構（30）に接続される第１吸入管（14）及び第１吐出管（15）が、胴部（12）を厚み方向に貫通するように設けられている。また、胴部（12）には、第２圧縮機構（40）に接続される第２吸入管（16）が、胴部（12）を貫通するように設けられている。更に、上側の端板部（13）には、第２吐出管（17）が端板部（13）を貫通するように設けられている。この第２吐出管（17）は、ケーシング（11）の内部空間（S10）と連通している。なお、図示を省略するが、第１吐出管（15）と第２吸入管（16）とは、配管を介して接続されている。また、第１吐出管（15）と第２吸入管（16）を接続する配管には、中間圧の冷媒を第２圧縮機構（40）へ供給するためのインジェクション用配管が接続されている。
【００３０】
本実施形態の圧縮機（10）は、高段側の第２圧縮機構（40）において圧縮された冷媒がケーシング（11）の内部空間（S10）に吐出され、第２吐出管（17）を介してケーシング（11）の外部へ排出されるように構成されている。つまり、この圧縮機（10）は、ケーシング（11）の内部空間（S10）が高圧圧力状態となる高圧ドーム型の圧縮機となっている。
【００３１】
ケーシング（11）の内部には、駆動軸（23）が胴部（12）の軸方向に沿って設けられている。この駆動軸（23）は、電動機（20）と圧縮機部（50）を連結している。なお、密閉容器状のケーシング（11）の底部には、圧縮機部（50）の各摺動部に供給するための潤滑油（冷凍機油）が貯留されている。
【００３２】
駆動軸（23）は、主軸部（24）と二つの偏心部（25,26）とを備えている。二つの偏心部（25,26）は、主軸部（24）の軸方向に並んで配置され、上側に位置するものが上側偏心部（25）となり、下側に位置するものが下側偏心部（26）となっている。また、これら二つの偏心部（25,26）は、それぞれが主軸部（24）よりも大径の円柱状に形成され、それぞれの軸心が主軸部（24）の軸心に対して偏心している。また、上側偏心部（25）の偏心方向と下側偏心部（26）の偏心方向は、主軸部（24）の軸心を中心として互いに１８０°ずれている。
【００３３】
駆動軸（23）の下端には、油吸込管（28）が突設されている。油吸込管（28）の下端は、ケーシング（11）の底部に貯留された潤滑油に浸かっている。また、図示しないが、駆動軸（23）の内部には、油吸込管（28）に接続する給油通路が形成されている。遠心ポンプ作用によって油吸込管（28）へ吸い込まれた潤滑油は、給油通路を通って各圧縮機構（30,40）の摺動箇所へ供給される。
【００３４】
電動機（20）は、ステータ（21）とロータ（22）とを備えている。ステータ（21）は、ケーシング（11）の胴部（12）に固定されている。一方、ロータ（22）は、ステータ（21）の内側に配置され、駆動軸（23）の主軸部（24）に連結されている。
【００３５】
〈圧縮機部の構成〉
上述したように、圧縮機部（50）は、第１圧縮機構（30）と、第２圧縮機構（40）とを備えている。また、圧縮機部（50）では、両圧縮機構（30,40）の間にミドルプレート（51）が挟み込まれている。
【００３６】
図２及び図３に示すように、第１圧縮機構（30）は、第１シリンダ（31）と、第１ピストン（32）と、第１ブレード（33）とを備えている。第１シリンダ（31）は、環状の第１シリンダ室（S11,S12）を形成する。第１ピストン（32）は、環状部（32b）を有している。この環状部（32b）は、第１シリンダ室（S11,S12）内に配置され、第１シリンダ室（S11,S12）を外側圧縮室（S11）と内側圧縮室（S12）とに区画する。第１ブレード（33）は、外側圧縮室（S11）と内側圧縮室（S12）のそれぞれを高圧室（S11H,S12H）と低圧室（S11L,S12L）とに区画する。第１シリンダ（31）と第１ピストン（32）とは、相対的に偏心回転運動をするように構成されている。
【００３７】
第１シリンダ（31）は、中央に軸受部が形成された平板状のシリンダ側鏡板部（31a）と、シリンダ側鏡板部（31a）の前面（図２における上面）から上方に突出するように形成された筒状の外側シリンダ部（31b）及び内側シリンダ部（31c）とを備えている。外側シリンダ部（31b）は外側壁部を構成し、内側シリンダ部（31c）は内側壁部を構成している。
【００３８】
第１シリンダ（31）は、シリンダ側鏡板部（31a）及び外側シリンダ部（31b）がケーシング（11）の胴部（12）の内面に溶接されることにより固定されている。また、シリンダ側鏡板部（31a）の軸受部には、駆動軸（23）の主軸部（24）が挿通されている。このシリンダ側鏡板部（31a）の軸受部は、主軸部（24）を回転自在に支持する滑り軸受を構成している。
【００３９】
第１シリンダ（31）のシリンダ側鏡板部（31a）には、外周面から径方向の内側向きに延びる第１吸入通路（14a）が形成されている。第１吸入通路（14a）の一端は、シリンダ側鏡板部（31a）の前面（図２における上面）に開口し、外側圧縮室（S11）及び内側圧縮室（S12）に連通している。第１吸入通路（14a）の他端には、第１吸入管（14）が接続されている。
【００４０】
また、第１シリンダ（31）のシリンダ側鏡板部（31a）には、外周面から径方向の内側向きに延びる第１吐出通路（15a）が形成されている。シリンダ側鏡板部（31a）の外周面における第１吐出通路（15a）の開口端には、第１吐出管（15）が接続されている。第１吐出通路（15a）は、吐出口（35）を介して外側圧縮室（S11）に連通し、吐出口（36）を介して内側圧縮室（S12）に連通している。各吐出口（35,36）は、シリンダ側鏡板部（31a）の前面に開口している。シリンダ側鏡板部（31a）には、吐出口（35,36）を開閉するための吐出弁（37,38）が設けられている。各吐出弁（37,38）は、いわゆるリード弁であって、高圧室（S11H,S12H）内の冷媒圧力が第１吐出通路（15a）内の冷媒圧力よりもある程度高くなると、開状態となる。
【００４１】
外側シリンダ部（31b）の内周面と内側シリンダ部（31c）の外周面とは、互いに同軸に配置された円筒面となっている。第１ピストン（32）の環状部（32b）の外周面と外側シリンダ部（31b）の内周面との間には外側圧縮室（S11）が形成され、第１ピストン（32）の環状部（32b）の内周面と内側シリンダ部（31c）の外周面との間には内側圧縮室（S12）が形成されている。
【００４２】
第１ピストン（32）は、平板状のピストン側鏡板部（32a）と、ピストン側鏡板部（32a）の前面（図２における下面）に突設された環状部（32b）と、環状部（32b）の内側に形成された筒状の軸受部（32c）とを備えている。環状部（32b）は、円環の一部分を分断したＣ字状に形成されている。軸受部（32c）には、駆動軸（23）の下側偏心部（26）が挿通されている。
【００４３】
第１ピストン（32）のピストン側鏡板部（32a）では、その前面のうち環状部（32b）の外側に位置する部分がシリンダ用摺動面（61）となっている。このシリンダ用摺動面（61）は、第１シリンダ（31）の外側シリンダ部（31b）の突端面（図２における上面）と摺接する。
【００４４】
第１ブレード（33）は、第１シリンダ室（S11,S12）の径方向に延びる平板状の部材であって、外側シリンダ部（31b）の内周面から内側シリンダ部（31c）の外周面に亘って形成されている。この第１ブレード（33）は、外側シリンダ部（31b）、内側シリンダ部（31c）、及びシリンダ側鏡板部（31a）と一体に形成されている。第１ブレード（33）は、環状部（32b）の分断箇所に挿通されている。この第１ブレード（33）は、外側圧縮室（S11）と内側圧縮室（S12）のそれぞれを、第１吸入通路（14a）に連通する低圧室（S11L,S12L）と、吐出口（35,36）に連通する高圧室（S11H,S12H）とに区画している。
【００４５】
図３に示すように、第１圧縮機構（30）は、一対の第１揺動ブッシュ（34）を備えている。第１揺動ブッシュ（34）は、同図における第１ブレード（33）の右側と左側に一つずつ設けられている。各第１揺動ブッシュ（34）には、第１ブレード（33）と摺接する平坦面と、平坦面の反対側に位置する円弧面とが形成されている。第１揺動ブッシュ（34）の円弧面は、環状部（32b）の分断箇所の端面と摺接する。第１ピストン（32）の環状部（32b）では、第１揺動ブッシュ（34）と摺接する面がブッシュ用摺動面（62）となっている。ブッシュ用摺動面（62）は、第１揺動ブッシュ（34）の円弧面と曲率半径が実質的に等しい円弧面となっている。
【００４６】
第１圧縮機構（30）では、環状部（32b）の外周面と外側シリンダ部（31b）の内周面が互いの周方向における一箇所で摺接し、環状部（32b）の内周面と内側シリンダ部（31c）の外周面が互いの周方向における一箇所で摺接する。環状部（32b）の外周面と外側シリンダ部（31b）の内周面の摺接箇所と、環状部（32b）の内周面と内側シリンダ部（31c）の外周面の摺接箇所は、主軸部（24）の軸心を挟んで反対側に位置している。そして、第１圧縮機構（30）では、第１シリンダ（31）が固定される一方、第１ピストン（32）が偏心回転運動を行う。
【００４７】
第２圧縮機構（40）は、第１圧縮機構（30）と同様の機械要素によって構成されている。具体的に、第２圧縮機構（40）は、第２シリンダ（41）と、第２ピストン（42）と、第２ブレード（43）とを備えている。第２シリンダ（41）は、環状の第２シリンダ室（S21,S22）を形成する。第２ピストン（42）は、環状部（42b）を有している。この環状部（42b）は、第２シリンダ室（S21,S22）内に配置され、第２シリンダ室（S21,S22）を外側圧縮室（S21）と内側圧縮室（S22）とに区画する。第２ブレード（43）は、外側圧縮室（S21）と内側圧縮室（S22）のそれぞれを高圧室（S21H,S22H）と低圧室（S21L,S22L）とに区画する。第２シリンダ（41）と第２ピストン（42）とは、相対的に偏心回転運動をするように構成されている。
【００４８】
第２シリンダ（41）は、中央に軸受部が形成された平板状のシリンダ側鏡板部（41a）と、シリンダ側鏡板部（41a）の前面（図２における下面）から下方に突出するように形成された筒状の外側シリンダ部（41b）及び内側シリンダ部（41c）とを備えている。外側シリンダ部（41b）は外側壁部を構成し、内側シリンダ部（41c）は内側壁部を構成している。
【００４９】
第２シリンダ（41）は、シリンダ側鏡板部（41a）及び外側シリンダ部（41b）がケーシング（11）の胴部（12）の内面に溶接されることにより固定されている。また、シリンダ側鏡板部（41a）の軸受部には、駆動軸（23）の主軸部（24）が挿通されている。このシリンダ側鏡板部（41a）の軸受部は、主軸部（24）を回転自在に支持する滑り軸受を構成している。
【００５０】
第２シリンダ（41）のシリンダ側鏡板部（41a）には、外周面から径方向の内側向きに延びる第２吸入通路（16a）が形成されている。第２吸入通路（16a）の一端は、シリンダ側鏡板部（41a）の前面（図２における下面）に開口し、外側圧縮室（S21）及び内側圧縮室（S22）に連通している。第２吸入通路（16a）の他端には、第２吸入管（16）が接続されている。
【００５１】
また、第２シリンダ（41）のシリンダ側鏡板部（41a）には、その背面（図２における上面）に開口する吐出用凹部（17a）が形成されている。吐出用凹部（17a）の底部には、吐出口（45,46）が開口している。各吐出口（45,46）は、シリンダ側鏡板部（41a）の前面に開口している。そして、吐出用凹部（17a）は、吐出口（45）を介して外側圧縮室（S21）に連通し、吐出口（46）を介して内側圧縮室（S22）に連通している。シリンダ側鏡板部（41a）には、吐出口（45,46）を開閉するための吐出弁（47,48）が設けられている。各吐出弁（47,48）は、いわゆるリード弁であって、高圧室（S21H,S22H）内の冷媒圧力が吐出用凹部（17a）内の冷媒圧力（即ち、ケーシング（11）内の冷媒圧力）よりもある程度高くなると、開状態となる。
【００５２】
外側シリンダ部（41b）の内周面と内側シリンダ部（41c）の外周面とは、互いに同軸に配置された円筒面となっている。第２ピストン（42）の環状部（42b）の外周面と外側シリンダ部（41b）の内周面との間には外側圧縮室（S21）が形成され、第２ピストン（42）の環状部（42b）の内周面と内側シリンダ部（41c）の外周面との間には内側圧縮室（S22）が形成されている。
【００５３】
第２ピストン（42）は、平板状のピストン側鏡板部（42a）と、ピストン側鏡板部（42a）の前面（図２における上面）に突設された環状部（42b）と、環状部（42b）の内側に形成された筒状の軸受部（42c）とを備えている。環状部（42b）は、円環の一部分を分断したＣ字状に形成されている。軸受部（42c）には、駆動軸（23）の上側偏心部（25）が挿通されている。
【００５４】
第２ピストン（42）のピストン側鏡板部（42a）では、その前面のうち環状部（42b）の外側に位置する部分がシリンダ用摺動面（71）となっている。このシリンダ用摺動面（71）は、第２シリンダ（41）の外側シリンダ部（41b）の突端面（図２における下面）と摺接する。
【００５５】
第２ブレード（43）は、第２シリンダ室（S21,S22）の径方向に延びる平板状の部材であって、外側シリンダ部（41b）の内周面から内側シリンダ部（41c）の外周面に亘って形成されている。この第２ブレード（43）は、外側シリンダ部（41b）、内側シリンダ部（41c）、及びピストン側鏡板部（42a）と一体に形成されている。第２ブレード（43）は、環状部（42b）の分断箇所に挿通されている。この第２ブレード（43）は、外側圧縮室（S21）と内側圧縮室（S22）のそれぞれを、第２吸入通路（16a）に連通する低圧室（S21L,S22L）と、吐出口（45,46）に連通する高圧室（S21H,S22H）とに区画している。
【００５６】
図３に示すように、第２圧縮機構（40）は、一対の第２揺動ブッシュ（44）を備えている。第２揺動ブッシュ（44）は、同図における第２ブレード（43）の右側と左側に一つずつ設けられている。各第２揺動ブッシュ（44）には、第２ブレード（43）と摺接する平坦面と、平坦面の反対側に位置する円弧面とが形成されている。第２揺動ブッシュ（44）の円弧面は、環状部（42b）の分断箇所の端面と摺接する。第２ピストン（42）の環状部（42b）では、第２揺動ブッシュ（44）と摺接する面がブッシュ用摺動面（72）となっている。ブッシュ用摺動面（72）は、第２揺動ブッシュ（44）の円弧面と曲率半径が実質的に等しい円弧面となっている。
【００５７】
第２圧縮機構（40）では、環状部（42b）の外周面と外側シリンダ部（41b）の内周面が互いの周方向における一箇所で摺接し、環状部（42b）の内周面と内側シリンダ部（41c）の外周面が互いの周方向における一箇所で摺接する。環状部（42b）の外周面と外側シリンダ部（41b）の内周面の摺接箇所と、環状部（42b）の内周面と内側シリンダ部（41c）の外周面の摺接箇所は、主軸部（24）の軸心を挟んで反対側に位置している。そして、第２圧縮機構（40）では、第２シリンダ（41）が固定される一方、第２ピストン（42）が偏心回転運動を行う。
【００５８】
図２に示すように、ミドルプレート（51）は、円板状の平板部（51b）と、平板部（51b）の周囲を囲むように形成された筒状の筒部（51a）とを備えている。筒部（51a）は、第１シリンダ（31）と第２シリンダ（41）の間に挟み込まれている。一方、平板部（51b）は、第１ピストン（32）のピストン側鏡板部（32a）と第２ピストン（42）のピストン側鏡板部（42a）の間に挟み込まれている。この平板部（51b）は、図２における下面が第１ピストン（32）のピストン側鏡板部（32a）の背面と摺接し、同図における上面が第２ピストン（42）のピストン側鏡板部（42a）の背面と摺接する。
【００５９】
ミドルプレート（51）の平板部（51b）では、第１圧縮機構（30）側の面と第２圧縮機構（40）側の面のそれぞれにシールリング（52,53）が一つずつ設けられている。これらシールリング（52,53）は、平板部（51b）に形成された環状溝に取り付けられている。第１圧縮機構（30）側に配置された第１シールリング（52）は、第１ピストン（32）のピストン側鏡板部（32a）の背面に接している。そして、このピストン側鏡板部（32a）と平板部（51b）の隙間のうち第１シールリング（52）の内側に位置する部分が、第１内側背圧空間（S3）となる。一方、第２圧縮機構（40）側に配置された第２シールリング（53）は、第２ピストン（42）のピストン側鏡板部（42a）の背面に接している。そして、このピストン側鏡板部（42a）と平板部（51b）の隙間のうち第２シールリング（53）の内側に位置する部分が、第２内側背圧空間（S5）となる。
【００６０】
〈圧縮機構の構成部材の材質と硬度〉
上述したように、各圧縮機構（30,40）は、シリンダ（31,41）と、ピストン（32,42）と、ブレード（33,43）と、揺動ブッシュ（34,44）とを備えている。これら圧縮機構（30,40）の構成部材は、それぞれ所定の材質で構成されている。
【００６１】
具体的に、シリンダ（31,41）の材質はねずみ鋳鉄であり、ピストン（32,42）の材質はダクタイル鋳鉄やクロムモリブデン鋼であり、揺動ブッシュ（34,44）の材質は工具鋼である。本実施形態では、ブレード（33,43）がシリンダ（31,41）と一体に形成されているため、ブレード（33,43）の材質はシリンダ（31,41）の材質と同じである。また、シリンダ（31,41）では、シリンダ側鏡板部（31a,41a）と外側シリンダ部（31b,41b）と内側シリンダ部（31c,41c）とブレード（33,43）とが、連続した一体の部材となっている。従って、シリンダ側鏡板部（31a,41a）と外側シリンダ部（31b,41b）と内側シリンダ部（31c,41c）とは、それぞれの材質が共通している。また、ピストン（32,42）では、ピストン側鏡板部（32a,42a）と環状部（32b,42b）と軸受部（32c,42c）とが、連続した一体の部材となっている。従って、ピストン側鏡板部（32a,42a）と環状部（32b,42b）と軸受部（32c,42c）とは、それぞれの材質が共通している。
【００６２】
各圧縮機構（30,40）のピストン（32,42）では、ブッシュ用摺動面（62,72）に硬化処理が施されている。この硬化処理の例としては、焼き入れ、浸炭、窒化、浸炭焼き入れ、窒化焼き入れ等の熱処理や、高硬度の物質をコーティングする処理が挙げられる。一方、ピストン（32,42）のシリンダ用摺動面（61,71）には、硬化処理は施されない。このため、各圧縮機構（30,40）のピストン（32,42）では、ブッシュ用摺動面（62,72）の硬度が、シリンダ用摺動面（61,71）の硬度よりも高くなっている。
【００６３】
また、シリンダ（31,41）の材質であるねずみ鋳鉄の硬度はビッカース硬度ＨＶ２５０〜３００程度であり、ピストン（32,42）の材質であるダクタイル鋳鉄やクロムモリブデン鋼の硬度はＨＶ３００〜５００程度であり、揺動ブッシュ（34,44）の材質である工具鋼の硬度はＨＶ８００程度である。また、硬化処理を施されたピストン（32,42）のブッシュ用摺動面（62,72）の硬度はＨＶ５００〜７００程度である。従って、各圧縮機構（30,40）では、揺動ブッシュ（34,44）の硬度がピストン（32,42）のブッシュ用摺動面（62,72）の硬度よりも高くなり、シリンダ（31,41）の硬度がピストン（32,42）のシリンダ用摺動面（61,71）の硬度よりも低くなっている。
【００６４】
−運転動作−
圧縮機（10）の運転動作について説明する。
【００６５】
先ず、圧縮機（10）全体の運転動作について、図１を参照しながら説明する。電動機（20）に通電すると、駆動軸（23）が回転し、圧縮機構（30,40）のピストン（32,42）が駆動軸（23）によって駆動される。
【００６６】
圧縮機（10）の第１吸入管（14）には、冷媒回路の蒸発器で蒸発した冷媒が吸入される。第１吸入管（14）へ流入した低圧冷媒は、第１圧縮機構（30）の外側圧縮室（S11）及び内側圧縮室（S12）へ吸い込まれて圧縮される。各圧縮室（S11,S12）内で圧縮された冷媒は、吐出口（35,36）を通って第１吐出通路（15a）へ吐出される。第１圧縮機構（30）から吐出された冷媒は、第１吐出管（15）を通って一旦ケーシング（11）の外部へ流出し、図外のインジェクション用配管から供給された中間圧冷媒と混合された後に、第２吸入管（16）を通って第２吸入通路（16a）へ流入する。
【００６７】
第２吸入通路（16a）へ流入した冷媒は、第２圧縮機構（40）の外側圧縮室（S21）及び内側圧縮室（S22）へ吸い込まれて更に圧縮される。各圧縮室（S21,S22）内で圧縮された冷媒は、吐出口（45,46）を通ってケーシング（11）の内部空間（S10）へ吐出され、その後に第２吐出管（17）を通っての外部へ流出してゆく。
【００６８】
また、駆動軸（23）が回転すると、ケーシング（11）の底部に貯留されている潤滑油が油吸込管（28）へ吸い込まれ、駆動軸（23）の内部に形成された給油通路を通って圧縮機部（50）の摺動箇所へ供給される。給油通路から圧縮機部（50）へ供給された潤滑油は、第１ピストン（32）とミドルプレート（51）の間に形成された第１内側背圧空間（S3）や、第２ピストン（42）とミドルプレート（51）の間に形成された第２内側背圧空間（S5）にも流入する。
【００６９】
次に、圧縮機部（50）の運転動作について、図４を参照しながら説明する。ここでは、第１圧縮機構（30）の運転動作について説明するが、第２圧縮機構（40）の運転動作は第１圧縮機構（30）と基本的に同じである。
【００７０】
第１圧縮機構（30）では、第１ピストン（32）の環状部（32b）が第１ブレード（33）に沿って往復動作（進退動作）を行うと共に揺動動作を行う。そして、第１圧縮機構（30）では、環状部（32b）が外側シリンダ部（31b）及び内側シリンダ部（31c）に対して揺動しながら公転し、圧縮室（S11,S12）へ冷媒が吸入されて圧縮される。
【００７１】
具体的に、図４(Ａ)の状態から駆動軸（23）が同図における時計方向へ回転し、環状部（32b）の外周面と外側シリンダ部（31b）の内周面の接触位置が第１吸入通路（14a）を通過すると、第１吸入通路（14a）から外側圧縮室（S11）の低圧室（S11L）へ低圧冷媒が吸入され始める。その後、駆動軸（23）が回転すると、低圧室（S11L）の容積が増大してゆき（図４(Ｂ),(Ｃ),…を参照）、図４(Ａ)の状態に戻ると低圧室（S11L）の容積が最大になる。低圧室（S11L）の容積が増加している間は、第１吸入通路（14a）から低圧室（S11L）へ低圧冷媒が吸入され続ける。
【００７２】
一方、図４(Ａ)の状態から駆動軸（23）が同図における時計方向へ回転し、環状部（32b）の外周面と外側シリンダ部（31b）の内周面の接触位置が第１吸入通路（14a）を通過すると、外側圧縮室（S11）の高圧室（S11H）が第１吸入通路（14a）から遮断された閉空間となる。その後、駆動軸（23）が回転すると、高圧室（S11H）の容積が減少してゆき（図４(Ｂ),(Ｃ),…を参照）、高圧室（S11H）内の冷媒が圧縮され、高圧室（S11H）内の冷媒圧力が上昇してゆく。高圧室（S11H）内の冷媒圧力が第１吐出通路（15a）の圧力よりも幾分高くなると、吐出弁（37）が開き、高圧室（S11H）内の冷媒が吐出口（35）を通って第１吐出通路（15a）へ流出してゆく。例えば図４(Ｆ)の状態で吐出弁（37）が開いたとすると、その後は高圧室（S11H）内の冷媒が環状部（32b）によって第１吐出通路（15a）へ押し出されてゆく。そして、図４(Ａ)の状態に戻ると、高圧室（S11H）からの冷媒の吐出が完了する。
【００７３】
また、図４(Ｅ)の状態から駆動軸（23）が同図における時計方向へ回転し、環状部（32b）の内周面と内側シリンダ部（31c）の外周面の接触位置が第１吸入通路（14a）を通過すると、第１吸入通路（14a）から内側圧縮室（S12）の低圧室（S12L）へ低圧冷媒が吸入され始める。その後、駆動軸（23）が回転すると、低圧室（S12L）の容積が増大してゆき（図４(Ｆ),(Ｇ),…を参照）、図４(Ｅ)の状態に戻ると低圧室（S12L）の容積が最大になる。低圧室（S12L）の容積が増加している間は、第１吸入通路（14a）から低圧室（S12L）へ低圧冷媒が吸入され続ける。
【００７４】
一方、図４(Ｅ)の状態から駆動軸（23）が同図における時計方向へ回転し、環状部（32b）の内周面と内側シリンダ部（31c）の外周面の接触位置が第１吸入通路（14a）を通過すると、内側圧縮室（S12）の高圧室（S12H）が第１吸入通路（14a）から遮断された閉空間となる。その後、駆動軸（23）が回転すると、高圧室（S12H）の容積が減少してゆき（図４(Ｆ),(Ｇ),…を参照）、高圧室（S12H）内の冷媒が圧縮され、高圧室（S12H）内の冷媒圧力が上昇してゆく。高圧室（S12H）内の冷媒圧力が第１吐出通路（15a）の圧力よりも幾分高くなると、吐出弁（38）が開き、高圧室（S12H）内の冷媒が吐出口（36）を通って第１吐出通路（15a）へ流出してゆく。例えば図４(Ｂ)の状態で吐出弁（38）が開いたとすると、その後は高圧室（S12H）内の冷媒が環状部（32b）によって第１吐出通路（15a）へ押し出されてゆく。そして、図４(Ｅ)の状態に戻ると、高圧室（S12H）からの冷媒の吐出が完了する。
【００７５】
上述したように、第２圧縮機構（40）の運転動作は第１圧縮機構（30）と基本的に同じである。ただし、駆動軸（23）の上側偏心部（25）と下側偏心部（26）は、それぞれの偏心方向が互いに逆向きとなっている。そのため、第２圧縮機構（40）における第２ピストン（42）の回転運動と、第１圧縮機構（30）における第１ピストン（32）の回転運動とは、それぞれの位相が互いに１８０°ずれている。従って、第１圧縮機構（30）の第１ピストン（32）の位置が図４(Ａ)に示す位置となる時点では、第２圧縮機構（40）の第２ピストン（42）の位置が図４(Ｅ)に示す位置となる。
【００７６】
ところで、各圧縮機構（30,40）では、外側圧縮室（S11,S21）内の冷媒圧力や、内側圧縮室（S12,S22）内の冷媒圧力が、シリンダ側鏡板部（31a,41a）とピストン側鏡板部（32a,42a）に作用する。このため、高圧室（S11H,S12H,S21H,S22H）内の冷媒圧力が上昇すると、ピストン（32,42）には、ピストン（32,42）をシリンダ（31,41）から引き離す方向の力が作用する。そして、何の対策も講じなければ、ピストン（32,42）がシリンダ（31,41）から離れる方向へ僅かに移動し、環状部（32b,42b）とシリンダ側鏡板部（31a,41a）の隙間や、外側シリンダ部（31b,41b）及び内側シリンダ部（31c,41c）とピストン側鏡板部（32a,42a）の隙間が拡大することとなり、その結果、外側圧縮室（S11,S21）や内側圧縮室（S12,S22）の気密性が低下してしまう。
【００７７】
それに対し、本実施形態の圧縮機（10）では、上述したように、ケーシング（11）内に貯留されている潤滑油が第１内側背圧空間（S3）と第２内側背圧空間（S5）に導入される。ケーシング（11）内に貯留されている潤滑油の圧力は、第２圧縮機構（40）から吐出された高圧冷媒の圧力と実質的に等しくなっている。このため、第１内側背圧空間（S3）の内圧や第２内側背圧空間（S5）の内圧は、ケーシング（11）内に貯留されている潤滑油の圧力と同程度となる。その結果、各圧縮機構（30,40）では、ピストン（32,42）がシリンダ（31,41）へ押し付けられることとなり、外側圧縮室（S11,S21）や内側圧縮室（S12,S22）の気密性が確保される。
【００７８】
ピストン（32,42）をシリンダ（31,41）へ押し付ける方向の荷重（スラスト荷重）は、ピストン側鏡板部（32a,42a）のシリンダ用摺動面（61,71）がシリンダ（31,41）の外側シリンダ部（31b,41b）の突端面と摺接することによって支持される。ピストン側鏡板部（32a,42a）のシリンダ用摺動面（61,71）と、外側シリンダ部（31b,41b）の突端面との間には、極めて薄い油膜が形成され、この油膜によって両者の潤滑が行われる。また、環状部（32b,42b）とシリンダ側鏡板部（31a,41a）のクリアランスと、内側シリンダ部（31c,41c）とピストン側鏡板部（32a,42a）のクリアランスとは、ピストン側鏡板部（32a,42a）と外側シリンダ部（31b,41b）のクリアランスよりも僅かに大きくなっている。
【００７９】
−実施形態１の効果−
本実施形態の圧縮機（10）の各圧縮機構（30,40）では、ピストン（32,42）の環状部（32b,42b）が揺動ブッシュ（34,44）と摺接し、ピストン（32,42）のピストン側鏡板部（32a,42a）がシリンダ（31,41）の外側シリンダ部（31b,41b）と摺接する。また、本実施形態のピストン（32,42）では、環状部（32b,42b）のうち揺動ブッシュ（34,44）と摺接する部分であるブッシュ用摺動面（62,72）の硬度が、ピストン側鏡板部（32a,42a）のうち外側壁部（31b,41b）と摺接する部分であるシリンダ用摺動面（61,71）の硬度よりも高くなっている。このため、環状部（32b,42b）のブッシュ用摺動面（62,72）の硬度を高めることでブッシュ用摺動面（62,72）の摩耗量を削減できると共に、ピストン側鏡板部（32a,42a）のシリンダ用摺動面（61,71）の硬度が不必要に高くなるのを回避することで外側壁部（31b,41b）の摩耗量の増加を抑制できる。
【００８０】
特に、本実施形態の各圧縮機構（30,40）では、揺動ブッシュ（34,44）の硬度が環状部（32b,42b）のブッシュ用摺動面（62,72）の硬度よりも高く、外側壁部（31b,41b）の硬度がピストン側鏡板部（32a,42a）のシリンダ用摺動面（61,71）の硬度よりも低くなっている。このため、環状部（32b,42b）のブッシュ用摺動面（62,72）の硬度を、ピストン側鏡板部（32a,42a）のシリンダ用摺動面（61,71）の硬度よりも高くすることによって、環状部（32b,42b）のブッシュ用摺動面（62,72）の摩耗と、シリンダ用摺動面（61,71）と摺接する外側壁部（31b,41b）の摩耗を確実に抑えることができる。
【００８１】
《発明の実施形態２》
本発明の実施形態２について説明する。本実施形態の圧縮機（10）は、上記実施形態１の各圧縮機構（30,40）において、ピストン（32,42）の構成を変更したものである。以下では、本実施形態のピストン（32,42）について、上記実施形態１と異なる点を説明する。
【００８２】
図５に示すように、本実施形態のピストン（32,42）では、環状部（32b,42b）が環状部本体（63,73）と摺動用部材（64,74）とによって構成されている。環状部本体（63,73）は、円環の一部分を分断したＣ字状に形成されている。この環状部本体（63,73）は、ピストン側鏡板部（32a,42a）と一体に形成されている。一方、摺動用部材（64,74）は、やや湾曲した板状に形成され、環状部本体（63,73）の分断部分に臨む端面に鋳込み溶接等によって接合されている。そして、本実施形態の環状部（32b,42b）では、摺動用部材（64,74）が揺動ブッシュ（34,44）と摺接する。つまり、この環状部（32b,42b）では、摺動用部材（64,74）の表面がブッシュ用摺動面（62,72）となっている。
【００８３】
本実施形態のピストン（32,42）では、ピストン側鏡板部（32a,42a）と環状部本体（63,73）と軸受部（32c,42c）とが、連続した一体の部材となっている。ピストン側鏡板部（32a,42a）と環状部本体（63,73）と軸受部（32c,42c）の材質は、何れもダクタイル鋳鉄やクロムモリブデン鋼である。一方、摺動用部材（64,74）の材質は高硬度鋼であり、その硬度はＨＶ５００〜７００程度である。従って、本実施形態のピストン（32,42）では、高硬度鋼製の摺動用部材（64,74）によって構成されるブッシュ用摺動面（62,72）の硬度が、ダクタイル鋳鉄製あるいはクロムモリブデン鋼製のピストン側鏡板部（32a,42a）によって構成されるシリンダ用摺動面（61,71）の硬度よりも高くなっている。
【００８４】
《発明の実施形態３》
本発明の実施形態３について説明する。本実施形態の圧縮機（10）は、上記実施形態１の各圧縮機構（30,40）において、ピストン（32,42）の構成を変更したものである。以下では、本実施形態のピストン（32,42）について、上記実施形態１と異なる点を説明する。
【００８５】
図６に示すように、本実施形態のピストン（32,42）では、環状部（32b,42b）とピストン側鏡板部（32a,42a）が別体に形成されており、環状部（32b,42b）がボルト等によってピストン側鏡板部（32a,42a）に固定されている。なお、本実施形態のピストン（32,42）では、ピストン側鏡板部（32a,42a）と軸受部（32c,42c）とが、連続した一体の部材となっている。ピストン側鏡板部（32a,42a）と軸受部（32c,42c）の材質は、ねずみ鋳鉄であって、その硬度はＨＶ２５０〜３００程度である。一方、環状部（32b,42b）の材質はダクタイル鋳鉄やクロムモリブデン鋼であり、その硬度はＨＶ３００〜５００程度である。従って、本実施形態のピストン（32,42）では、ダクタイル鋳鉄製あるいはクロムモリブデン鋼製の環状部（32b,42b）によって構成されるブッシュ用摺動面（62,72）の硬度が、ねずみ鋳鉄製のピストン側鏡板部（32a,42a）によって構成されるシリンダ用摺動面（61,71）の硬度よりも高くなっている。
【００８６】
《発明の実施形態４》
本発明の実施形態４について説明する。本実施形態の圧縮機（10）は、上記実施形態１の各圧縮機構（30,40）において、ピストン（32,42）の構成を変更したものである。以下では、本実施形態のピストン（32,42）について、上記実施形態１と異なる点を説明する。
【００８７】
図７に示すように、本実施形態のピストン（32,42）では、ピストン側鏡板部（32a,42a）に摺動用プレート（65,75）が取り付けられている。摺動用プレート（65,75）は、円環状に形成された平板であって、ピストン側鏡板部（32a,42a）の前面のうち環状部（32b,42b）の外側に位置する部分を覆っている。そして、本実施形態のピストン（32,42）では、摺動用プレート（65,75）が外側シリンダ部（31b,41b）の突端面と摺接する。つまり、このピストン（32,42）では、摺動用プレート（65,75）がシリンダ用摺動面（61,71）を構成している。
【００８８】
本実施形態のピストン（32,42）では、上記実施形態１と同様に、ピストン側鏡板部（32a,42a）と環状部（32b,42b）と軸受部（32c,42c）とが、連続した一体の部材となっている。このピストン（32,42）において、ピストン側鏡板部（32a,42a）と環状部（32b,42b）と軸受部（32c,42c）の材質はダクタイル鋳鉄やクロムモリブデン鋼であり、その硬度はＨＶ３００〜５００程度である。一方、摺動用プレート（65,75）の材質はねずみ鋳鉄であり、その硬度はＨＶ２５０〜３００程度である。従って、本実施形態のピストン（32,42）では、ダクタイル鋳鉄製あるいはクロムモリブデン鋼製の環状部（32b,42b）によって構成されるブッシュ用摺動面（62,72）の硬度が、ねずみ鋳鉄製の摺動用プレート（65,75）によって構成されるシリンダ用摺動面（61,71）の硬度よりも高くなっている。
【００８９】
《その他の実施形態》
−第１変形例−
上記各実施形態の圧縮機（10）では、第１圧縮機構（30）と第２圧縮機構（40）の両方においてブッシュ用摺動面（62,72）の硬度がシリンダ用摺動面（61,71）の硬度よりも高くなっているが、第２圧縮機構（40）だけにおいてブッシュ用摺動面（72）の硬度がシリンダ用摺動面（71）の硬度よりも高くなっていてもよい。
【００９０】
具体的に、本変形例を上記実施形態１の圧縮機（10）に適用した場合、第１圧縮機構（30）の環状部（32b）のブッシュ用摺動面（62）に焼き入れ等の硬化処理は施されず、第２圧縮機構（40）の環状部（42b）のブッシュ用摺動面（72）だけに焼き入れ等の硬化処理が施される。また、本変形例を上記実施形態２の圧縮機（10）に適用した場合、第１圧縮機構（30）では環状部（32b）から摺動用部材（64）が省略され、第２圧縮機構（40）の環状部（42b）だけに摺動用部材（74）が設けられる。また、本変形例を上記実施形態３の圧縮機（10）に適用した場合、第１圧縮機構（30）では環状部（32b）がピストン側鏡板部（32a）と一体に形成され、第２圧縮機構（40）だけにおいて環状部（42b）がピストン側鏡板部（42a）とは別体に形成される。また、本変形例を上記実施形態４の圧縮機（10）に適用した場合、第１圧縮機構（30）ではピストン側鏡板部（32a）から摺動用プレート（65）が省略され、第２圧縮機構（40）のピストン側鏡板部（42a）だけに摺動用プレート（75）が設けられる。
【００９１】
二段圧縮機である上記各実施形態の圧縮機（10）において、ブッシュ用摺動面（62,72）に作用する荷重は、高段側の第２圧縮機構（40）よりも低段側の第１圧縮機構（30）の方が小さくなる場合が多い。このため、低段側の第１圧縮機構（30）では、特に対策を講じなくても、ブッシュ用摺動面（62）の摩耗量を低く抑えることが可能な場合がある。そこで、このような場合は、高段側の第２圧縮機構（40）においてだけブッシュ用摺動面（72）の硬度がシリンダ用摺動面（71）の硬度よりも高くすることで、圧縮機（10）の製造工程の複雑化を抑えることができる。
【００９２】
−第２変形例−
上記各実施形態の圧縮機（10）において、各圧縮機構（30,40）では、図８に示すように、ブレード（33,43）が、シリンダ側鏡板部（31a,41a）、外側シリンダ部（31b,41b）、及び内側シリンダ部（31c,41c）とは別体に形成されていてもよい。その場合、ブレード（33,43）の材質は、シリンダ側鏡板部（31a,41a）、外側シリンダ部（31b,41b）、及び内側シリンダ部（31c,41c）の材質と同じでもよいし、それとは異なっていてもよい。
【００９３】
−第３変形例−
上記各実施形態の圧縮機（10）は、二つの圧縮機構（30,40）を備える二段圧縮機であるが、圧縮機構を一つだけ備える単段圧縮機を、本発明の回転式流体機械によって構成してもよい。
【００９４】
−第４変形例−
上記各実施形態では本発明の回転式流体機械によって圧縮機を構成しているが、この回転式流体機械の用途は圧縮機に限定されるものではない。つまり、流体の膨張によって動力を発生させる膨張機を、本発明の回転式流体機械によって構成してもよい。
【００９５】
なお、以上の実施形態は、本質的に好ましい例示であって、本発明、その適用物、あるいはその用途の範囲を制限することを意図するものではない。
【産業上の利用可能性】
【００９６】
以上説明したように、本発明は、ピストンが揺動ブッシュとシリンダの両方と摺接する回転式流体機械について有用である。
【符号の説明】
【００９７】
10    圧縮機（回転式流体機械）
30    第１圧縮機構
31    第１シリンダ
31a   シリンダ側鏡板部
31b   外側シリンダ部（外側壁部）
31c   内側シリンダ部（内側壁部）
32    第１ピストン
32a   ピストン側鏡板部
32b   環状部
33    第１ブレード
34    第１揺動ブッシュ
40    第２圧縮機構
41    第２シリンダ
41a   シリンダ側鏡板部
41b   外側シリンダ部（外側壁部）
41c   内側シリンダ部（内側壁部）
42    第２ピストン
42a   ピストン側鏡板部
42b   環状部
43    第２ブレード
44    第２揺動ブッシュ
61,71   シリンダ用摺動面
62,72   ブッシュ用摺動面
63,73   環状部本体
64,74   摺動用部材
S11,S21外側圧縮室（流体室）
S12,S22内側圧縮室（流体室）
【図１】
0005521470.tif 000002
【図２】
0005521470.tif 000003
【図３】
0005521470.tif 000004
【図４】
0005521470.tif 000005
【図５】
0005521470.tif 000006
【図６】
0005521470.tif 000007
【図７】
0005521470.tif 000008
【図８】
0005521470.tif 000009